(57)【要約】  本発明は自然石板床に関し、その床板（１）は互いに間隔をおいて実質的に平らな基礎上に敷設され、床板（１）がその側面（１０）にそれぞれ１つの溝（１１）を含み、隣接する床板（１）の間にプラスチック製のそれぞれ１つの継ぎ目スペーサ（２）が設けられて、両側にそれぞれ１つの締付け突片（２０，２１）を持ち、これらの締付け突片が溝（１１）内に締付けられて保持されている。
2007525610.tif 000002
【特許請求の範囲】
【請求項１】
実質的に平らな基礎上に互いに間隔をおいて敷設される床板（１）を有する自然石板床において、床板（１）がその側面（１０）にそれぞれ１つの溝（１１）を含み、隣接する床板（１）の間に、プラスチックから成るそれぞれ１つの継ぎ目スペーサ（２）が設けられて、両側に、溝（１１）内へ締付けられて保持されるそれぞれ１つの締付け突片（２０，２１）を持っていることを特徴とする、自然石板床。
【請求項２】
溝（１１）が高さに関して対称に床板（１）の側面に形成されていることを特徴とする、請求項１に記載の自然石板床。
【請求項３】
溝（１１）が３ｍｍの高さで、６ｍｍ以上の深さであることを特徴とする、請求項１又は２に記載の自然石板床。
【請求項４】
締付け突片（２０，２１）が、上側に、吹付けられた短い軟質プラスチック節（２４Ｂ）を持ち、下側に、円錐状に形成された止めひれ（２３）を持っていることを特徴とする、先行する請求項の１つに記載の自然石板床。
【請求項５】
継ぎ目スペーサ（２）が、基準面（２２）を越えて床板表面と同一面をなす所まで延びていることを特徴とする、請求項４に記載の自然石板床。
【請求項６】
継ぎ目スペーサ（２）が、上部継ぎ目範囲（２４Ａ）において、他の部分より軟らかい弾性材料から形成されていることを特徴とする、請求項５に記載の自然石板床。
【請求項７】
石板（１）がその上部稜に面取り部（１２）を持ち、継ぎ目スペーサ（２）がこの面取り部を満たしていることを特徴とする、請求項６に記載の自然石板床。
【請求項８】
先行する請求項の１つに記載の自然石板床を形成するための自然石板（１）。
【請求項９】
請求項１〜７の１つに記載の自然石板床を形成するための継ぎ目スペーサ（２）。
【発明の詳細な説明】
【技術分野】
【０００１】  本発明は、実質的に平らな基礎上に互いに間隔をおいて敷設される床板を有する自然石板床に関する。
【背景技術】
【０００２】  後で更に使用するため、実質的に平らな基礎上に興行、見本市等用の自然石床を緩く敷設することは公知であり、公差補償のため、例えば固体板用敷設補助手段として敷設される公知のプラスチック製十字間隔片を使用することによって、板の間の狭い継ぎ目が形成される。しかし板相互の動かない結合は行われず、場合によっては基礎にある高低差が板の傾斜及び／又は突き合わせ段部を生じ、これが通行を困難にし、場合によっては転倒の危険を伴う。露出する板の稜も負傷をひき起こすことがあり、これが特に板の再使用を妨げる。
【発明の開示】
【発明が解決しようとする課題】
【０００３】  本発明の課題は、充分平らで継目のない表面を持ちかつ緩く敷設可能な自然石板床を提供し、これを簡単に敷設しかつ再び使用することである。
【課題を解決するための手段】
【０００４】  その解決策によれば、床板がその側面にそれぞれ１つの溝を含み、隣接する床板の間に、プラスチックから成るそれぞれ１つの継ぎ目スペーサが設けられて、両側に、溝内へ締付けられて保持されるそれぞれ１つの締付け突片を持っている。【０００５】  有利な構成は従属請求項に示されている。【０００６】  締付け突片は、なるべく水平な境界面及びこれとは逆向きの締付けひれを持ち、これらの締付けひれが溝内に締付けはめ合いで保持されている。境界面は、隣接する溝面に対して精確な基準を与える。スペーサが、締付け突片から継ぎ目に間隔を与えて上方へ石板の面のレベルまで延びているので、継ぎ目にわたって滑らかな閉じた面が形成されると、有利である。【０００７】  更に締付け突片とこれらの間の中間範囲をＰＰ、ＰＥ又はＡＢＳのように比較的堅いプラスチックから製造し、上部継ぎ目範囲のために軟らかい成分を吹付けるのが有利である。軟らかい範囲がその上部稜で側方へ継ぎ目を大きく越えて延びて、それぞれ約１ｍｍだけ切欠かれた石板の面取り部が満たされているのがよい。【０００８】  それにより汚水又は洗濯水等がそこへ浸入することはない。使用のため石の切断及び／又は移動により生じることがある小さい継ぎ目公差も見えないままである。【０００９】  図１は有利な構成を示している。
【発明を実施するための最良の形態】
【００１０】  石板１は、その側面になるべく板の高さの中間にある溝１１を持っている。【００１１】  石板１の間に継ぎ目スペーサ２が延び、両側でその締付け突片２０，２１が対応する溝１１の中へ延びている。締付け突片２０，２１は、なるべく上側にほぼ滑らかな基準面２２を持ち、この基準面が上部溝面に対する高さ位置を規定している。吹付けられた軟質プラスチック節２４Ｂは締付け作用を強め、湿気に対する密封性を保証している。【００１２】  連続する締付け突片範囲から、下方へ弾性的に、溝１１に対する締付けはめ合いで、円錐状及び／又は節状の止めひれ２３が延びている。スペーサ２の継ぎ目内にある継ぎ目範囲２４は、基準面２２から上方へ延び、そこにほぼ弾性的な材料から成る上部継ぎ目範囲２４Ａが形成されている。弾性継ぎ目範囲２４Ａの分岐する稜範囲２５が、垂直な継ぎ目を越えて、石板１にそれぞれ設けられる面取り部１２の中へ延び、この面取り部を満たしている。【００１３】  溝は例えば３．０ｍｍの幅で７ｍｍの深さをもっている。【００１４】  それに応じて結合体の側方突片は、組込み前に約３．２ｍｍの高さ及び６．８ｍｍの幅を持っている。結合体の継ぎ目範囲２４は例えば７ｍｍの高さを持ち、これは石表面からの基準面２２の間隔に相当している。石１にある面取り部１２は約１ｍｍの幅を持っている。それに応じて継ぎ目結合体及び継ぎ目スペーサ２の張出し範囲２５が形成されている。継ぎ目結合体スペーサの周りの石板は独立した商品でもある。
【図面の簡単な説明】
【００１５】
【図１】  はめられる石板を持つ継ぎ目範囲の断面図を示す。
【符号の説明】
【００１６】  １        石板
１１        溝
１２        面取り部
２０，２１  締付け突片
２２        基準面
２３        ひれ
２４        継ぎ目範囲
２４Ａ      軟らかい上部継ぎ目範囲
２４Ｂ      密封兼締付け節（軟質）
２５        覆い稜範囲
【図１】
2007525610.tif 000003
【手続補正書】
【提出日】平成17年2月28日(2005.2.28)
【手続補正１】
【補正対象書類名】特許請求の範囲
【補正対象項目名】全文
【補正方法】変更
【補正の内容】
【特許請求の範囲】
【請求項１】
床板（１）が互いに間隔をおいて並んで敷設されかつその側面（１０）にそれぞれ１つの溝（１１）を含み、隣接する床板（１）の間に、プラスチックから成るそれぞれ１つの継ぎ目スペーサ（２）が設けられて、両側に、対応する溝（１１）内へ締付けられて保持されるそれぞれ１つの止めひれ（２３）付き締付け突片（２０，２１）を持ち、石板（１）がその上部稜に面取り部（１２）を持ち、この面取り部が上部継ぎ目範囲（２４Ａ）と共に弾性的に密封されているものにおいて、締付け突片（２０，２１）が、上側に、吹付けられた短い軟質プラスチック節（２４Ｂ）を有する実質的に平らな基準面（２２）を持ち、下側に、円錐状に形成された止めひれ（２３）を持ち、継ぎ目スペーサ（２）、それ自体上部継ぎ目範囲（２４Ａ）を密封して、面取り部（１２）の範囲へ延び、そこで他の部分より軟らかい弾性材料から成っていることを特徴とする、自然石板床。
【請求項２】
溝（１１）が高さに関して対称に床板（１）の側面に形成されていることを特徴とする、請求項１に記載の自然石板床。
【請求項３】
溝（１１）が３ｍｍの高さで、６ｍｍ以上の深さであることを特徴とする、請求項１又は２に記載の自然石板床。
【請求項４】
継ぎ目スペーサ（２）が、基準面（２２）を越えて床板表面と同一面をなす所まで延びていることを特徴とする、請求項４に記載の自然石板床。
【請求項５】
継ぎ目スペーサ（２）が、上部継ぎ目範囲（２４Ａ）において、他の部分より軟らかい弾性材料から形成されていることを特徴とする、請求項５に記載の自然石板床。
【請求項６】
先行する請求項の１つに記載の自然石板床を形成するための自然石板（１）。
【請求項７】
請求項１〜７の１つに記載の自然石板床を形成するための継ぎ目スペーサ（２）。
【国際調査報告】
2007525610.tif 000004
2007525610.tif 000005
2007525610.tif 000006
2007525610.tif 000007